(57)【要約】【課題】従前のものに比して一段と気体と固体との分離効率の高い気固分離器を提供する。【解決手段】下端１１が閉じられると共に上端１が開口した鉛直方向に延びる内筒１０と、内筒１０を外方から同軸状に覆うと共に内筒の上端側には外部に連通する気体抜出口６が形成された外筒２と、を具備し、内筒１０における下端１１側の側面には、軸方向に延びる長孔４が円周方向に複数形成され、長孔４夫々の一方の長辺縁部には外方に突出すると共に各長孔４を覆うように周方向に傾斜された案内羽根５が設けられ、外筒２における内筒１０の複数の長孔４を取り囲む部分において、下部の内直径Ｄ１が、上部の内直径Ｄ２に比べて大きい。【選択図】図３
2008018334.tif 000002
【特許請求の範囲】
【請求項１】
下端が閉じられると共に上端が開口した、鉛直方向に延びる内筒と、
前記内筒を外方から同軸状に覆うと共に前記上端側には外部に連通する気体抜出口が形成された外筒と、を具備し、
前記内筒における前記下端側の側面には、軸方向に延びる長孔が円周方向に複数形成され、
前記長孔夫々の一方の長辺縁部には外方に突出すると共に前記各長孔を覆うように周方向に傾斜された案内羽根が設けられ、
前記外筒における前記内筒の複数の長孔を取り囲む部分において、下部の内直径Ｄ１が、上部の内直径Ｄ２に比べて大きい気固分離器。
【請求項２】
１．０１≦（Ｄ１／Ｄ２）≦１．３を満たす請求項１の気固分離器。
【請求項３】
前記各案内羽根の半径方向突出長さＰは、内筒の外直径をＤ３としたときに、（Ｄ２−Ｄ３）×０．１≦Ｐ≦（Ｄ２−Ｄ３）×０．５を満たす請求項１又は２に記載の気固分離器。
【請求項４】
前記外筒は、内直径がＤ２の上部外筒と、内直径がＤ１の下部外筒と、を上下に接続することにより形成され、前記長孔の鉛直方向長さＬのうちの下から５〜５０％を前記下部外筒が取り囲んでいる請求項１〜３のいずれかに記載の気固分離器。
【発明の詳細な説明】
【技術分野】
【０００１】
本発明は固体粒子と気体の混合物を夫々に分離するための気固分離器に関する。
【背景技術】
【０００２】
粒子状の固体を触媒または熱媒体とし、反応物と接触させる反応系は古くから知られている。このような反応系である流動床式反応器の中には濃厚流動層（気泡流動層）を用いるもの、高速移動層（高速流動層）を用いるもの等がある。固体粒子と気体の接触時間を短くする必要のある反応（短接触時間反応）には高速移動層が用いられている。現在、重質油等を原料油としてガソリンを製造している流動接触分解装置においてはライザーと呼ばれる上昇流型高速移動層反応器が主流となっている。理由は触媒性能の向上に伴い接触時間を短くすることが可能となり、これによってガソリン等の好ましい生成物の選択性が上がり、好ましくない過分解反応が抑制できるようになったことによる。
【０００３】
さらに、最近では、下降流型高速移動層反応器が提案されている。下降流反応器では、均一な気固流をうる事ができ、短時間反応により好ましい。
【０００４】
高速移動層反応器においては生成物気体と粒子状固体触媒の混合物が反応器出口から流出するが、短接触時間反応が要求されるこの種の装置では混合物から粒子状固体触媒をいかに迅速に分離できるかが重要な課題であり分離器の性能が重要となる。
【０００５】
このような気固分離器として、例えば、特許文献１〜３に示すものが知られている。
【特許文献１】特開平１０−２４９１２２号公報
【特許文献２】米国特許６１４６５９７号明細書
【特許文献３】特開平１０−２４９１２１号公報
【発明の開示】
【発明が解決しようとする課題】
【０００６】
しかしながら、従来の気固分離器では分離効率が十分でないことが判明した。本発明は上記課題に鑑みて創案されたもので、従前のものに比して一段と気体と固体との分離効率の高い気固分離器を提供することにある。
【課題を解決するための手段】
【０００７】
本発明にかかる気固分離器は、下端が閉じられると共に上端が開口した、鉛直方向に延びる内筒と、この内筒を外方から同軸状に覆い、内筒の上端側に外部に連通する気体抜出口が形成された外筒と、を具備し、内筒の下端側の側面には、軸方向に延びる長孔が円周方向に複数形成され、長孔夫々の一方側の長辺縁部には外方に突出すると共に各長孔を覆うように周方向に傾斜された案内羽根が設けられている。そして、外筒における内筒の複数の長孔を取り囲む部分において、内筒の下部の内直径Ｄ１が、内筒の上部の内直径Ｄ２に比べて大きい。
【０００８】
本発明によれば、固体粒子及び気体の混合物を内筒の開口から下向きに供給すると、この混合物は、内筒の各長孔から下向きに外筒内へ排出される。排出されたガスは、案内羽根の内面に沿ってやや旋回されつつさらに下向きに進む。ここで、混合物中の一部の固体粒子は案内羽根の内面に衝突し、衝突した固体粒子はそのまま案内板の内面に沿って下向きに落下する。その他の固体粒子を含む気体は、外筒の上部に気体抜出口が設けられているために、向きが上向きに反転され、隣の長孔の縁部に設けられた案内羽根の外面に沿って上向きに流れ、その後、気体抜出口から排出される。そして、この気体の流れが下向きから上向きに反転する際に、気体に同伴していた固体粒子は、その慣性や自重のために気体から分離され、下方に向かって旋回しながら主として内壁上に沿って下降する。
【０００９】
特に、本発明では、外筒における複数の長孔を取り囲む部分において、内筒の下部の内直径Ｄ１が内筒の上部の内直径Ｄ２に比べて大きくなっている。これにより、気体の流れが反転して上昇する際の気体の上昇速度が遅くされ、固体粒子が同伴して上昇してしまうことを効率よく妨げることができ、したがって、分離効率を著しく向上できる。
【００１０】
ここで、気体の流れが反転する際に固体粒子が気体に同伴されることを効率よく抑制する観点から、１．０１≦（Ｄ１／Ｄ２）≦１．３を満たすことが好ましい。１．０１以下では効果が現れにくく、１．３を超えるとガスの滞留時間が長くなる。これは、短時間反応を志向するプロセスでは好ましくない。
【００１１】
また、各案内羽根の半径方向突出長さＰは、内筒の外直径をＤ３としたときに、（Ｄ２−Ｄ３）×０．１≦Ｐ≦（Ｄ２−Ｄ３）×０．５を満たすことが好ましい。これにより、効率よく反転流を形成できて好ましい。この下限を下回ると、反転流が起こりにくくなる傾向がある。
【００１２】
また、外筒が、内直径がＤ２の上部外筒と、内直径がＤ１の下部外筒と、を上下に接続することにより形成され、長孔の鉛直方向長さＬのうちの下から５〜５０％を下部外筒が取り囲んでいることが好ましい。下部外筒の長孔を取り囲む高さが低すぎると、反転後の気体への固体粒子の同伴を抑制する効果が低く、一方、高さが高すぎても、ガスの滞留時間が長くなる。これは、短時間反応を志向するプロセスでは好ましくない。
【発明の効果】
【００１３】
本発明によれば、従前に比して一段と気体と固体との分離効率の高い気固分離器が提供される。
【発明を実施するための最良の形態】
【００１４】
（第１実施形態）
以下では、図面を用いて本発明を詳細に説明する。図１〜４は第１実施形態にかかる気固分離器の一形態を示すもので、図１は一部破断斜視図、図２は図１の気固分離器の縦断面図、図３は気固分離機をＩＩＩ−ＩＩＩ面で切断した横断面図、図４は案内羽根付近の流れを示す斜視図である。
【００１５】
気固分離器１００は、同軸状に固着された内筒１０及び外囲器を兼ねた外筒２を主体に略筒状の二重構造に構成されており鉛直方向に延びた姿勢で使用される。
【００１６】
（内筒）
内筒１０は、鉛直方向に延びる有底円筒状で上端が開口して導入口１を形成しており、この導入口１からは粒子と気体の混合物が導入されることになる。下端は底板１１によって封止されている。
【００１７】
内筒１０の底板１１側の側面には、その円周等分部位に複数個（図では１２個）の軸方向に延びる狭幅矩形状の長孔（スリット）４が形成されている。
【００１８】
長孔４の開口面積は混合物の供給量に応じて長孔４を通過する混合物の線速度が１〜４０m/s 、好ましくは３〜２５m/s 、より好ましくは３〜１５m/s となるよう決定される。長孔４の面積が決まるとそれに応じて長孔４の幅Ｗと長さＬが決定できる。長孔４を通過する混合物の線速度が１ｍ／ｓより小さい場合は混合物の速度が遅く分離が不十分になるため好ましくない。また線速度が４０ｍ／ｓより大きい場合は長孔４、案内羽根５、外筒２の側壁の磨耗が激しくなるため好ましくない。
【００１９】
実用に適する長孔４の水平方向の幅Ｗは内筒１０の円周長さＬ1を用いて次式で表される。
【００２０】
スリットの幅Ｗ＝１mm〜Ｌ1／４、好ましくは Ｗ＝Ｌ1／１６〜Ｌ1／６４
また、実用的な長孔４の鉛直方向長さＬは、後述する上部外筒２ａの高さＬａ及び下部外筒２ｂの高さＬｂを用いて次式で表される。
【００２１】
スリットの長さＬ＝（Ｌａ＋Ｌｂ）×ａ、ここでａは０. １〜０. ９９、好ましくは０. ７〜０. ９５である。
【００２２】
これら長孔４の夫々の一方の長辺縁部には、外方に突出する長尺湾曲板状の案内羽根５が設けられている。すなわち、案内羽根５は長孔４と同数、それぞれ長孔４の一方の長辺縁部に沿って設けられている。これらの案内羽根５は、内筒径方向と一定角度を成している、すなわち、各案内羽根５は、各長孔４を覆うように一定円周方向に傾斜して設けられている。傾斜形状は図１及び図３に例示したように湾曲していても良いし、或いは図５の（ａ）に横断面図で示すように平板状であっても良く、さらに、図５の（ｂ）のように途中で折れた板状でもよい。湾曲する場合には、図３に示すように、長孔４に面する側が凹面となるような曲面、特に、断面円弧となることが好ましい。断面円弧となる場合には、半径ｒで頂角が７０〜１２０度であり、内筒１０の外直径をＤ３とし、上部外筒２ａの内直径をＤ２としたときに、０．４×（Ｄ２−Ｄ３）≦ｒ≦０．５×（Ｄ２−Ｄ３）とすることが好ましい。
【００２３】
各案内羽根５の半径方向突出長さＰ（図３参照）、すなわち、（（内筒１０の中心Ｃと案内羽根５の先端Ｆとの距離Ｒ）−０．５×内筒１０の外直径Ｄ３）は、上部外筒２ａの内直径をＤ２として次式のように設定することが好ましい。
【００２４】
分離器総体として円滑な動作が得られるように、全ての案内羽根５は同一形状とし円周等分点に位置するように取り付けることが好ましい。なお、一つの長孔４に対応して複数部に分割された構成の案内羽根５をそれぞれ設けることもできる。
【００２５】
案内羽根の突出長さＰ＝（Ｒ−０．５×Ｄ３）＝（Ｄ２−Ｄ３）×ｂ、ここでｂは０．５以下であり、好ましくは０．１〜０．５、好ましくは、０．３５〜０．４９５である。
【００２６】
ｂが０．２より小さい、すなわち案内羽根５の半径方向突出長さＰが小さすぎる場合は長孔４から噴出した気流の反転が明確に行われず好ましくない。ｂが０．４９５より大きい、すなわち案内羽根の半径方向突出長さＰが大きすぎる場合は外筒と案内羽根の隙間が小さくなりすぎ、案内羽根と外筒とが接触することがある。
【００２７】
また案内羽根５の鉛直方向長さについては、長孔４の鉛直方向長さＬと同程度とすることが好ましいが、次のように規定し得る。
【００２８】
案内羽根５の最小高さ＝長孔４の長さＬ／２
案内羽根５の最大高さ＝外筒２の長さ
好ましくは長孔４の長さＬ以上かつ０. ８×外筒２の長さである。
【００２９】
長孔４の数については図示例では１２個であるが、これに限定されることはなく２以上であれば良い。好ましくは８〜１６個、より好ましくは１０〜１４個を採用するのが良い。長孔４の数が単一（２個より少ない）では内外筒間隙にて分離に必要な気流の反転を良好に形成できず不都合であるし、内筒１０の直径等のサイズにも依るが一般には１６個を越える長孔を設けても分離器が徒に複雑・高価となるだけであって、さしたる分離効率の向上は認められなくなる。上記の長孔１２の数は重質油等を原料油としてガソリンを製造する流動接触分解装置に使用されている該混合物を用いた実験結果を解析して総合的に判断した結果である。本構造における長孔の数は要求される分離効率に直接影響するものであり、一般に最終的には開口面積等も考慮して実験により確認されるのが好ましい。
【００３０】
例えば、内筒を通過する混合物の線速度が一定の場合を考えることにする。この場合、イ)長孔の数が同一であれば長孔の開口面積を小さくして長孔を通過する混合物の線速度を大きくする方が気流の反転による速度変化が大きくなり分離効率が上がる。しかし、逆効果としてエロージョンが進む方向となる。ロ.) 長孔からの線速度が同一であれば長孔１個当たりの開口面積を小さくして長孔４の数を増やす方が分離器全体にわたる安定した速度反転が得られ、分離効率が上がる。しかし、逆効果として分離器が複雑となる。以上の事実を踏まえると長孔の数は要求される分離効率あるいはエロージョンの程度、分離器の複雑さ等を総合的に判断し、最終的にはそれぞれの混合物を用いた実験結果により決定されることとなる。
【００３１】
内筒１０の寸法についてはその外直径Ｄ３は好ましくは上流側に直結される図示しない混合物移送管または反応管と同一であることが好ましいが、内筒１０を通過する混合物の適度な線速度を得るためにサイズダウンしてもサイズアップしても良い。具体的には内筒１０の混合物線速度が１〜１００ｍ／ｓ、好ましくは３〜３０ｍ／ｓ、より好ましくは１０〜２０ｍ／ｓとなるよう内筒の直径が決められることが好ましい。
【００３２】
（外筒）
外筒２はこの内筒１０を外方から覆って同軸状に位置する筒状体である。外筒２は、上から順に、気体案内筒２ｃ、上部外筒２ａ、下部外筒２ｂ、円錐筒２ｄ、及び、粒子抜出管２ｅから構成されている。特に、上部外筒２ａ及び下部外筒２ｂが、内筒１０における複数の長孔４が形成された部分１０ａを取り囲むように形成されている。すなわち、上部外筒２ａは、主として、各長孔４が形成された部分１０ａの上部を取り囲むように形成され、下部外筒２ｂは、主として、各長孔４が形成された部分１０ａの下部を取り囲むように配置されている。下部外筒２ｂは、内筒１０の底板１１よりさらに下に伸びていることが好ましい。
【００３３】
本実施形態では、特に、下部外筒２ｂの内直径Ｄ１は、上部外筒２ａの内直径Ｄ２よりも大きくされている。特に、１．０１≦（Ｄ１／Ｄ２）≦１．３を満たすことが好ましい。また、内筒１０の外直径Ｄ３としたときに、上部内筒２ａの内直径Ｄ２が、１．１×Ｄ３〜２０×Ｄ３とすることが好適である。具体的にはＤ２は、１．１×Ｄ３〜３×Ｄ３が好ましい。滞留時間を短くする点を重視すれば、好ましくは案内羽根５の半径方向突出長さＰに合わせて可能な限りＤ２を小さくすることが好ましい。また、上部外筒２ａの高さをＬａ、下部外筒２ｂの長さをＬｂとしたときに、（Ｌａ＋Ｌｂ）を内筒１０の内直径Ｄ３の０．８〜１０倍とすると好適である。滞留時間を短くする点を重視すれば、好ましくは、長孔４の鉛直方向長さに合わせて（Ｌａ＋Ｌｂ）を短くする。具体的には、（Ｌａ＋Ｌｂ）の１〜５倍が好ましい。
【００３４】
また、Ｌｂ／（Ｌａ＋Ｌｂ）は０．０５〜０．６であることが好ましい。さらに、下部外筒２ｂの少なくとも一部は長孔４の下部を取り囲む必要があるが、下部外筒２ｂが、長孔４の鉛直方向長さＬのうちの下から５〜５０％の部分を取り囲んでいることが好ましい。ここで、下部外筒２ｂのうちの内筒１０の長孔４と面している部分の高さをポケット高さＬｃとする。
【００３５】
なお、本実施形態では、上部外筒２ａと下部外筒２ｂとはそれぞれ一定の内径の円筒とされ、上部外筒２ａ及び下部外筒２ｂは、内縁と外縁とが同一平面上に配置された円環２ｆにより、内径が上下方向に急激に変化するように接続されているが、図６のように、上部外筒２ａと下部外筒２ｂとが、テーパ状の円環２ｆにより接続されていてもよく、また、図７のように、上部外筒２ａ及び下部外筒２ｂが、全体として下方に向かうほど内径が拡大するテーパ状とされていてもよく、要は、外筒２における複数の長孔４を取り囲む部分において、下部の直径Ｄ１が、上部の直径Ｄ２に比べて大きければよい。
【００３６】
上部外筒２ａの上には、上部外筒２ａよりも径が小さくされた円筒状の気体案内筒２ｃが配置され、気体案内筒２ｃの側面の対向位置２箇所には気体抜出口６が形成されている。気体抜出口６には、外部に連通すると共に半径方向に伸びた気体抜出管７がそれぞれ接続されている。気体抜出管７は、上方又は下方に傾斜していても良い。
【００３７】
一方、下部外筒２ｂの下端には、下方に向かって径が縮小する円錐部２ｄ、及び、小径の粒子抜出管２ｅがこの順に接続されている。粒子抜出管２ｅの下端の粒子抜出口３から粒子が排出される。粒子抜出管２ｅの粒子抜出口３からは定常的なガスの排出はなされず、気体抜出管７を通してのみ気体が定常的に排出されるようになっている。また、外筒２と、内筒１０とは、長孔４のみを介して連通している。粒子抜出管２ｅの粒子抜出口３の開口径は、内筒１０の外直径Ｄ３の０．８〜２倍であることが好ましい。
【００３８】
上述各部は、化学反応に耐える適宜素材を用いて形成される。例えば、ステンレスは加工性に優れ耐薬品性も良いので適材といえる。その他、異なる素材を適宜組み合わせて各部を構成しても良い。要は、必要な剛性と耐性が得られれば足りる。
【００３９】
続いて、本実施形態の作用を説明する。気固分離器に対して上方の混合物導入口１から気体および固体粒子からなる混合物が内筒１０へと所定速度で下向きに導入される。固体粒子は特に限定されないが、例えば、平均粒径が１〜５００μｍ程度、粒子嵩密度０．６〜０．９ｇ／ｃｍ３程度の流動接触触媒（ＦＣＣ）等が挙げられる。
【００４０】
内筒１０の下端部は底板１１により封鎖されていて、導入開始直後だけは固体粒子の一部は該底板に直接衝突することになるが、次第に固体粒子層（触媒床）が形成されて底板は固体粒子の衝突・衝撃から保護される。
【００４１】
定常的に図の上から下に向かう混合物の流れは、底板及び粒子層に遮られて横方向（水平方向）への速度を与えられ、内筒１０の側面に設けられた複数の長孔（スリット:５）から図２及び図４に表すように側方下向きに飛び出す。ここで、実線矢印が気体の流れを表し、点線矢印が固体粒子の流れを表す。
【００４２】
その後、気体は、図４に示すように、長孔４から下向きに流れ出た後、案内羽根５の内面５ａに案内されて、鉛直軸を上から見て図示時計回りに少し旋回され、その後、時計回りに隣接する案内羽根５の外面５ｂに沿って上昇し、その後、気体抜出口６から排出される。
【００４３】
一方、固体粒子の一部は、案内羽根５の内面５ａに衝突してそのまま内面に沿って下向きに移動する。また、その他の粒子の大部分は、気体の流れが下向きから上向きに反転する際に、粒子の慣性や自重により気体と共に速度が反転せず、気体の流れから離脱してそのまま下方に進み、図２に示すように、円錐部２ｄの内面に沿って旋回し、粒子抜出口３から排出されることとなる。
【００４４】
このようにして気体と固体粒子との混合物は、気体と固体粒子とに分離される。
【００４５】
そして、本願発明では、特に、下部外筒２ｂの内直径Ｄ１が、上部外筒２ａの内直径Ｄ２よりも大きくされている。これにより、気体の速度が下向きから上向きに反転する部分における内筒１０と外筒２との隙間が広くされているので、反転部分における気体の上昇速度が小さくなる。したがって、上昇ガスに同伴される固体粒子を少なくし易くなり、分離効率を高められる。
【００４６】
なお、分離効率に影響する因子にはその他に、粒子径、粒子密度、気体と粒子の密度差等がある。これらはいずれも大きい方が分離効率が高くなる。
【００４７】
（第２実施形態）
次に、第２実施形態について図８を参照して説明する。重質油を原料油としてガソリンを製造する流動接触触媒装置に本気固分離器を再生する際には、粒子抜出口３からの排出される触媒は、粒子群の隙間にガスを含んでいると共に、粒子には重質油が吸着されている。したがって、粒子抜出口３からの触媒は、通常、図示しないストリッピング装置に供給され、スチーム等の不活性ガスによりこれらが除去される。
【００４８】
そして、短接触時間反応においては、上記ストリッピング装置が問題となることがある。すなわち、ストリッピング装置内における触媒の滞留時間は概して長いため、ストリッピングが完了するまでの時間は反応が継続されているという点である。従って、このような余分な反応を避け、また、気体の一部が粒子抜出口からストリッピング装置に導入されるという好ましくない現象が起こった場合の影響を無くすために滞留時間の短い（装置容積の小さい）プレ・ストリッピング装置を設置することが好ましいことがある。
【００４９】
本実施形態の固気分離器が第一実施形態と異なる点は、気固分離器の下部にプレ・ストリッピング機構１３を組み込んで外筒２の下方でプレ・ストリッピングを可能としたことである。
【００５０】
具体的には、下部外筒２ｂの下部にさらに外筒２ｇがさらに設けられると共に、内面に数段のバッフル１４が設けられている。また、内筒１０の底板１１の下にさらに内筒１０ｇが伸びており、内筒１０ｇの周面にも数段のバッフル１４が設けられている。さらに、外筒２ｇ内かつ内筒１０ｇの下方には、環状のスチーム供給手段１２が設けられている。そして、粒子抜出口３は外筒２ｇのプレ・ストリッピング装置１３より下方に接続される。粒子抜出口３から抜き出された固体粒子は、図示しないストリッピング装置に導入される。
【００５１】
このような固気分離器においては、外筒２の上部で分離された固体粒子は、バッフル１４によって分散されつつ落下し、スチーム供給手段１２から供給されるスチームにより、プレ・ストリッピングがなされる。このプレ・ストリッピング機構１３から発生するガスおよびオイルベーパー、ストリッピングスチーム等はプレ・ストリッピング装置から系外に排出するのではなく、当該気固分離器に直接導入されることとなる。これによりプレ・ストリッピング効果が向上すると共に設備が省力化できる。なお、プレ・ストリッピング機構を導入しても、分離効率の低下はほとんど認められない。
【００５２】
なお、本実施形態では、外筒２ｇ及び内筒１０の表面に設けられたバッフル１４によって固体粒子を分散させる方式のプレ・ストリッピング機構（装置）を用いているが、これに限定されることはなくパーフォレイテッドトレイ（穴あき盤）や濃厚流動層を用いる方式のプレ・ストリッピング装置相当の機構なども採用することができる。
【００５３】
（実施例１〜６）
以下の条件の、図１〜図４のような形態の気固分離器を用いて、平均粒径６０μｍ、粒子嵩密度０．７ｇ／ｃｍ３の固体粒子を含む温度２０℃の空気の分離実験を行った。気固分離器のスケール及び条件は、図９に示す。長孔（案内羽根）の数は１２とした。触媒補修率（単位：％）＝（固体抜き出し口から抜き出された固体の重量）／（分離器に供給された触媒の重量）とした。
【００５４】
（比較例１）
下部外筒２ｂの内直径Ｄ１を、上部外筒２ａの内直径Ｄ２と同じにした以外は実施例１とした。
【００５５】
（実施例７−１１）
案内羽根の半径方向突出長さＰを図１０のように代える以外は、実施例１と同様にした。
【００５６】
（実施例１２−１６）
ポケット高さを代える以外は実施例１と同様にした。
【図面の簡単な説明】
【００５７】
【図１】図１は、第一実施形態にかかる気固分離器の一部破断斜視図である。
【図２】図２は、図１の気固分離器の縦断面図である。
【図３】図３は、図２のＩＩＩ−ＩＩＩ断面図である。
【図４】図４は、図１の案内羽根近傍の拡大斜視図である。
【図５】図５は、図３の案内羽根の変形例を示す断面図であり、（ａ）は平板状、（ｂ）は折れ板状のものである。
【図６】図６は、図２の気固分離器の第１の変形例を示す縦断面図である。
【図７】図７は、図２の気固分離器の第２の変形例を示す縦断面図である。
【図８】図８は、第２実施形態にかかる気固分離器の縦断面図である。
【図９】図９は、実施例１−６及び比較例１の条件及び結果を示す表である。
【図１０】図１０は、実施例７−１１の条件及び結果を示す表である。
【図１１】図１１は、実施例１２−１６の条件及び結果を示す表である。
【符号の説明】
【００５８】
２…外筒、２ａ…上部外筒、２ｂ…下部外筒、３…気体抜出口、４…長孔、５…案内羽根、６…開口、１０…内筒、１００、１０２…気固分離器。
【図１】
2008018334.tif 000003
【図２】
2008018334.tif 000004
【図３】
2008018334.tif 000005
【図４】
2008018334.tif 000006
【図５】
2008018334.tif 000007
【図６】
2008018334.tif 000008
【図７】
2008018334.tif 000009
【図８】
2008018334.tif 000010
【図９】
2008018334.tif 000011
【図１０】
2008018334.tif 000012
【図１１】
2008018334.tif 000013